(57)【要約】      （修正有）【課題】シャベルを提供する。【解決手段】ヘッド５と、接続管３と、ハンドル部１とを備える迅速に接続し取り外し可能なシャベルにおいて、接続管３の下端にインスタントコネクタが接続され、前記インスタントコネクタがヘッド５に接続され、接続管３の上端がハンドル部１におけるスクリューに接続されている。シャベルは、取り外しやすく迅速に接続可能であるという利点を有し、一つのシャフトに複数のヘッドを対応させるように用いられることができ、ヘッド部が破損した場合、迅速にヘッドのみを取り替えればよい。【選択図】図１
0003207660.tif 000002
【実用新案登録請求の範囲】
【請求項１】
ヘッドと、接続管と、ハンドル部とを備える迅速に接続し取り外し可能なシャベルにおいて、前記接続管の下端にインスタントコネクタが接続され、前記インスタントコネクタがヘッドに接続され、前記接続管の上端がスクリューによりハンドル部に接続されていることを特徴とするシャベル。
【請求項２】
前記ヘッドに第一の収容穴が設けられ、前記インスタントコネクタの下部が前記第一の収容穴内に設けられていることを特徴とする、請求項１に記載の迅速に接続し取り外し可能なシャベル。
【請求項３】
前記インスタントコネクタの上部に第二の収容穴が設けられ、前記接続管の下部が前記第二の収容穴内に設けられ、前記インスタントコネクタにねじ穴が設けられ、スクリューが前記ねじ穴を貫通して前記した接続管とインスタントコネクタとを固定し接続することを特徴とする、請求項１に記載の迅速に接続し取り外し可能なシャベル。
【請求項４】
前記インスタントコネクタに装飾用リングが設けられ、前記接続管には前記第二の収容穴と嵌合する装飾用リングが嵌設されていることを特徴とする、請求項３に記載の迅速に接続し取り外し可能なシャベル。
【請求項５】
前記ハンドル部に接続部が設けられ、前記接続部に第三の収容穴が設けられ、前記接続管が前記第三の収容穴内に設けられ、前記第三の収容穴の側壁にねじ穴が設けられ、スクリューが前記ねじ穴を貫通して前記したハンドル部と接続管とを固定し接続することを特徴とする、請求項１−４のいずれかに記載の迅速に接続し取り外し可能なシャベル。
【請求項６】
前記ヘッドに複数の補強リブが設けられていることを特徴とする、請求項５に記載の迅速に接続し取り外し可能なシャベル。
【考案の詳細な説明】
【技術分野】
【０００１】
本実用新案は農具の技術分野に関し、具体的には、迅速に接続し取り外し可能なシャベルに関するものである。
【背景技術】
【０００２】
従来のシャベルは、一般にヘッドとシャフトとを直接接続したものであり、汎用性に劣り、ヘッド又はシャフトが破損したが場合に取り換えにくいという多くの問題がある。
【考案の概要】
【考案が解決しようとする課題】
【０００３】
本実用新案は、従来技術に存在している上記の問題点を克服するために、迅速に接続し取り外し可能なシャベルを提供することを目的とする。
【課題を解決するための手段】
【０００４】
上記した技術的目的を実現するために、本実用新案にかかる技術的解決手段は下記のとおりである。
【０００５】
ヘッドと、接続管と、ハンドル部とを備える迅速に接続し取り外し可能なシャベルにおいて、前記接続管の下端にインスタントコネクタが接続され、前記インスタントコネクタがヘッドに接続され、前記接続管の上端がスクリューによりハンドル部に接続されているシャベル。
【０００６】
さらに、前記ヘッドに第一の収容穴が設けられ、前記インスタントコネクタの下部が前記第一の収容穴内に設けられている。
【０００７】
さらに、前記インスタントコネクタの上部に第二の収容穴が設けられ、前記接続管の下部が前記第二の収容穴内に設けられ、前記インスタントコネクタにねじ穴が設けられ、スクリューが前記ねじ穴を貫通して前記した接続管とインスタントコネクタとを固定し接続する。
【０００８】
さらに、前記インスタントコネクタ８に装飾用リング６が設けられ、前記接続管には前記第二の収容穴と嵌合する装飾用リングが嵌設されている。
【０００９】
さらに、前記ハンドル部に接続部が設けられ、前記接続部に第三の収容穴が設けられ、前記接続管が前記第三の収容穴内に設けられ、前記第三の収容穴の側壁にねじ穴が設けられ、スクリューが前記ねじ穴を貫通して前記したハンドル部と接続管とを固定し接続する。
【００１０】
さらに、前記ヘッドに複数の補強リブが設けられている。
【００１１】
上記した技術的解決手段を採用すれば、本実用新案にかかるシャベルは取り外しやすく迅速に接続可能であり、一つのシャフトに複数のヘッドを対応させることができるという利点を有し、ヘッド部が破損した場合に、迅速にヘッドのみを取り換えればよいという有益な効果を得ることができる。
【図面の簡単な説明】
【００１２】
本実用新案の実施例又は従来技術による技術的解決手段をより明確に説明するために、以下、実施例において使用される必要がある図面について簡単に紹介するが、以下の説明における図面は本実用新案の若干の実施例に過ぎず、当業者にとっては、これらの図面に基づけば、創造的労働を払うことなく、他の図面を得ることもできるのは明らかである。
【図１】本実用新案の実施例にかかる迅速に接続し取り外し可能なシャベルの構造模式図である。
【図２】本実用新案の実施例にかかる迅速に接続し取り外し可能なシャベルの分解立体図である。
【考案を実施するための形態】
【００１３】
以下、本実用新案の実施例における図面に合わせて、本実用新案の実施例による技術的解決手段を明確且つ完全に説明するが、説明される実施例は本実用新案の実施例のすべてではなく、単にその一部であることが明らかである。当業者が本実用新案の実施例に基づいて得たあらゆる他の実施例は、本実用新案が保護しようとする範囲に属する。
【００１４】
図１−２に示されるように、本実用新案の実施例にかかる迅速に接続し取り外し可能なシャベルは、ヘッド５と、接続管３と、ハンドル部１とを備えるものであり、前記接続管３の下端にインスタントコネクタ８が可動に接続され、前記インスタントコネクタ８がヘッド５に接続され、前記接続管３の上端がスクリュー７によりハンドル部１に接続されている。
【００１５】
前記ヘッド５に第一の収容穴が設けられ、前記インスタントコネクタ８の下部が前記第一の収容穴内に設けられ、前記インスタントコネクタ８の上部に第二の収容穴が設けられ、前記接続管３の下部が前記第二の収容穴内に設けられ、前記インスタントコネクタ８にねじ穴が設けられ、スクリュー７が前記ねじ穴を貫通して前記した接続管３とインスタントコネクタ８とを固定し接続する。前記ハンドル部１に接続部２が設けられ、前記接続部２には前記接続管３の上部を収容するための第三の収容穴が設けられ、前記第三の収容穴の側壁にねじ穴が設けられ、スクリューが前記ねじ穴を貫通して前記したハンドル部１と接続管３とを固定し接続する。前記ハンドル部１に接続部２が設けられ、前記接続部２に第三の収容穴が設けられ、前記接続管３が前記第三の収容穴内に設けられ、前記第三の収容穴の側壁にねじ穴が設けられ、スクリュー７が前記ねじ穴を貫通して前記したハンドル部１と接続管３とを固定し接続する。
【００１６】
具体的な実施例では、前記インスタントコネクタ８に装飾用リング６が設けられ、前記接続管３には前記第二の収容穴と嵌合する装飾用リング６が嵌設されている。
【００１７】
具体的な実施例では、前記ヘッド５に複数の補強リブ４が設けられている。
【００１８】
上述は本実用新案を制限するためのものではなく、単に本実用新案の好ましい実施例であり、本実用新案の精神と原則においてなされたあらゆる変更、等価取替、改良等は、本実用新案の保護範囲に含まれるべきである。
【符号の説明】
【００１９】
１  ハンドル部
２  接続部
３  接続管
４  補強リブ
５  ヘッド
６  装飾用リング
７  スクリュー
８  インスタントコネクタ
【図１】
0003207660.tif 000003
【図２】
0003207660.tif 000004